(57)【要約】【課題】  携帯電話機の幅の狭い方の両側面にキーとカーソル移動手段を配置した携帯電話機において、ディスプレイを本体の長手方向に大きくすると９０度回動した時、操作者自身の手がディスプレイを遮ってディスプレイの全面が見えないという欠点があり、ディスプレイを大きくできないという課題があった。【解決手段】  ディスプレイを収納状態より約９０度回動することができるヒンジ機構及び同ディスプレイを前記約９０度回動する中心軸方向にスライドすることができる機構の両方共を備えることにより、操作者が両手の１０本の指でキー入力操作時に手がディスプレイの上に重ならないようにすることが出来るので、ディスプレイの大きな携帯電話機にすることができる。
2007046233.tif 000002
【特許請求の範囲】
【請求項１】
携帯電話機の幅の狭い方の両側面にキーとジョイキー等のカーソル移動手段とを配置した携帯電話機において、操作者が両手の１０本の指でキー入力時に携帯電話機のディスプレイの全面を見るのを操作者の手が妨げないようにするために、ディスプレイを収納状態より約９０度回動することができるヒンジ機構及び同ディスプレイを前記約９０度回動する中心軸方向にスライドすることができる機構の両方共を備えたディスプレイ。
【発明の詳細な説明】
【技術分野】
【０００１】
この発明は、携帯電話機のディスプレイの回動及びスライド機構に関する分野
【背景技術】
【０００２】
図１は公開技術の０２ディスプレイがその収納状態より約９０度だけ回動する携帯電話機である。０１本体、０２ディスプレイ、０３ヒンジ、０４スピーカ、０５マイクロホン、０６キー、０７ジョイキー、０８アンテナより構成されている。
図２は図１の携帯電話機の右側面を操作者の正面に位置させ、０２ディスプレイを０３ヒンジを中心にして約９０度回動し、両手１０本の指でキーに入力している状態を示す。【０００３】
図３及び図４は公開技術のディスプレイ部を携帯電話機の長手方向にスライドさせることが出来る携帯電話機である。０１本体、０２ディスプレイ、０４スピーカ、０５マイクロホン、０６キー、０７ジョイキー、０９スライド溝、１０スライド溝への入り込み部、１１下側本体より構成されている。
図４は図３の携帯電話機のディスプレイ部を長手方向にスライドさせ、０６キーを露出させた状態を示す。この状態で１１下側本体に装備されているキーボード部を使用することができる。キーボード部を使用しない時はディスプレイ部を携帯電話機の長手方向の長さが短くなる方向にスライドさせると図３に示すようになり、本体長さが短くなり持ち運びに便利になる。０９スライド溝に１０スライド溝への入り込み部が分離しないように嵌っており、０９スライド溝に沿って１０入り込み部が滑ってスライドするようになっている。【０００４】
【特許文献１】特開２００３−２９８６９９  スライド型携帯電話機
【特許文献２】特許３６３０４２１  携帯電話機の超高速文字入力装置
【発明の開示】
【発明が解決しようとする課題】
【０００５】
近年、携帯電話機は通信技術の発達により、より多くの情報を短時間で伝送可能となり、メール表示字数の増大、ブラウザ表示面積拡大、テレビ画面拡大、表計算の表示量拡大の要求があり、文字入力速度を増加させ、かつ面積が広いディスプレイが求められている。
図１及び図２の技術を搭載した携帯電話機は０２ディスプレイを本体の長手下方向に大きくすると９０度回動した時、操作者自身の左手がディスプレイの上に重なり、０２ディスプレイの全面を見ることができないという欠点があり、０２ディスプレイを電話機長手方向に大きくできないという課題があった。
【課題を解決するための手段】
【０００６】
携帯電話機の両側面にキーとジョイキーとを配置した携帯電話機において、ディスプレイを収納状態より約９０度回動することができるヒンジ機構及び同ディスプレイを携帯電話機の長手上方向にスライドすることができる機構を備えることにより、操作者が両手の１０本の指でキー入力時に手がディスプレイの上に重ならないようにすることが出来るので、ディスプレイの大きな携帯電話機にすることができる。
【発明の効果】
【０００７】
本発明は文字入力の高速入力を妨げる事無く携帯電話機のディスプレイを長手方向に長く、大画面にできるので、近年のマルチメディア化で要求されているメール表示字数の増大、ブラウザ表示面積拡大、テレビ画面拡大、表計算の表示量拡大を実現できるので効果
がある。
【発明を実施するための最良の形態】
【０００８】
図５は本発明のヒンジ付きスライド機構を備えた携帯電話機のディスプレイの１例である。
この装置は２１本体、２２ディスプレイ、２３ヒンジ、２４スピーカ、２５マイクロホン、２６キー、２７ジョイキー、２８ジョイキー、２９アンテナ、３１スライド溝、３２スライド溝への入り込み部より構成されている。【０００９】
図６は図５の携帯電話機の２２ディスプレイを電話機長手方向上側にスライドさせた図である。この状態で３０キーを露出させることができるので片手のみしか使用できない時でも従来のように入力操作ができる。
図７は図５の携帯電話機の２３ヒンジを中心にして２２ディスプレイを約９０度回動させた図である。携帯電話機の３３裏面を床に置くと横長テレビ画面として見ることができる利点がある。【００１０】
図８は図６の携帯電話機の２３ヒンジを中心にして２２ディスプレイを約９０度回動させた図である。図８はまた図７の携帯電話機の２２ディスプレイを電話機長手方向上側にスライドさせた図である。図８は両手１０本の指で２２ディスプレイ全面を見ながらキー入力中の状態を示している。２２ディスプレイが長手上方向にスライドしているので操作者の左手で２２ディスプレイを遮っていない。
ここで反対に２２ディスプレイに３１スライド溝を設け、２３ヒンジ側に３２スライド溝への入り込み部を設けても同じ機能を達成できる。
【産業上の利用可能性】
【００１１】
携帯電話機のディスプレイを大画面にできるので、近年のマルチメディア化で要求されているメール表示字数の増大、ブラウザ表示面積拡大、テレビ画面拡大、表計算の表示量拡大を実現できるので産業上の利用可能性がある。  
【図面の簡単な説明】
【００１２】
【図１】両手１０本の指でキーに入力できる公開技術の携帯電話機の図である。
【図２】図１携帯電話機に文字入力中の図である。
【図３】公開技術のスライド型携帯電話機の図である。
【図４】図３携帯電話機をスライドさせキーボード部を露出させた図である。
【図５】本発明の両手１０本で文字入力できるディスプレイの大きな携帯電話機の１例である。
【図６】図５の携帯電話機のディスプレイを長手上方向にスライドさせた図である。
【図７】図５の携帯電話機のディスプレイを約９０度回動させた図である。
【図８】図６の状態よりディスプレイを約９０度回動させた図であり、また図７の状態よりディスプレイを長手上方向にスライドさせた図でもある。
【符号の説明】
【００１３】
０１本体
０２ディスプレイ
０３ヒンジ
０４スピーカ
０５マイクロホン
０６キー
０７ジョイキー
０８アンテナ
０９スライド溝
１０スライド溝への入り込み部
１１下側本体
２１本体
２２ディスプレイ
２３ヒンジ
２４スピーカ
２５マイクロホン
２６キー
２７ジョイキー
２８ジョイキー
２９アンテナ
３１スライド溝
３２スライド溝への入り込み部
３３裏面
【図１】
2007046233.tif 000003
【図２】
2007046233.tif 000004
【図３】
2007046233.tif 000005
【図４】
2007046233.tif 000006
【図５】
2007046233.tif 000007
【図６】
2007046233.tif 000008
【図７】
2007046233.tif 000009
【図８】
2007046233.tif 000010
【国際調査報告】
2007046233.tif 000011
2007046233.tif 000012
2007046233.tif 000013